(57)【要約】【課題】捕虫器を用いた害虫防除構造において、設置された捕虫器の高さ位置を変更する等の面倒な手間をかけることなく、床面の近くを飛翔する虫を効率的に捕獲することができるようにする。【解決手段】害虫防除構造１では、虫２を誘引する光源３と、光源３により誘引された虫２を捕獲する捕獲部４と、を備えた捕虫器５が用いられる。捕虫器５が、室開口部６近傍で床面７から略６５ｃｍ以内の高さ位置に設置されることにより、床面の近くを飛翔する虫を効率的に捕獲することができる。【選択図】図１
2008154517.tif 000002
【特許請求の範囲】
【請求項１】
虫を誘引する光源と、前記光源により誘引された虫を捕獲する捕獲部と、を備えた捕虫器を用いた害虫防除構造であって、
前記捕虫器は、室開口部近傍で床面から略６５ｃｍ以内の高さ位置に設置されることを特徴とする害虫防除構造。
【請求項２】
前記捕虫器は、請求項１に記載の高さ位置に配置されることに加えて、室開口部の上端から上下略２５ｃｍ以内の位置に設置されることを特徴とする害虫防除構造。
【発明の詳細な説明】
【技術分野】
【０００１】
本発明は、光源により誘引された虫を捕獲する捕虫器を用いた害虫防除構造に関する。
【背景技術】
【０００２】
建物内に侵入した飛翔昆虫は、産業や生活において様々なトラブルの要因となる。例えば、食品工場や飲食店では、虫が商品等に混入したり、小売店では、虫が店舗内を飛びまわって買い物客に不快感を与えることがある。
【０００３】
そのため、従来から、建物内に侵入した飛翔昆虫を捕獲して、これらの虫による害を防除するために、様々な捕虫器やこれらの捕虫器を用いた害虫防除構造が提供されている。例えば、特許文献１に示されるように、虫を誘引する光を出射する光源を備え、光源にから出射される光に誘引された虫を捕獲する捕虫器及びその取付け構造が知られている。この捕虫器は、吊下げ用の固定器具を備え、その固定器具をユーザが適宜に操作することにより、設置高さや向きを調整することができる。
【０００４】
また、特許文献２に示されるように、側面にローラが取り付けられ、このローラを壁面に接触させたまま上下に移動させることができる捕虫器が知られている。これらの捕虫器は、捕獲対象となる害虫や設置環境に応じて適宜に設置高さを変更することができる。
【特許文献１】特開平９−１０７８５９号公報
【特許文献２】特公平７−５５１２１号公報
【発明の開示】
【発明が解決しようとする課題】
【０００５】
しかしながら、上記の特許文献１及び特許文献２に示される捕虫器では、捕虫器の設置に際しては、その設置における高さ位置を適宜に変更して、夫々の高さ位置における捕虫効果を確認しながら、最適な高さ位置を決める必要があり、ユーザに対して面倒な手間をかけることになる。また、高さ位置を変更するための機構を別途に設けているため、器具のコスト高となる。
【０００６】
また、上記の特許文献１及び特許文献２に示される捕虫器は、天井に吊下げる又は壁面に直付けされることによる設置を想定しているので、実際には、室内の比較的高い位置、一般的に人の目線よりも高い位置に設置されることが多い。しかし、飛翔昆虫の中には、飛翔能力が低い又はその習性のため、床面の近くしか飛翔しない昆虫も一定数存在する。従って、これらの虫は、高い位置に設置された捕虫器では捕獲されない。
【０００７】
本発明は上記課題を解決するものであり、ユーザに対して捕虫器の設置における高さ位置を変更する等の面倒な手間をかけることなく、床面の近くを飛翔する虫を効率的に捕獲することができる害虫防除構造を提供することを目的とする。
【課題を解決するための手段】
【０００８】
請求項１の発明は、虫を誘引する光源と、前記光源により誘引された虫を捕獲する捕獲部と、を備えた捕虫器を用いた害虫防除構造であって、前記捕虫器は、室開口部近傍で床面から略６５ｃｍ以内の高さ位置に設置されるものである。
【０００９】
請求項２の発明は、前記捕虫器が、請求項１に記載の高さ位置に配置されることに加えて、室開口部の上端から上下略２５ｃｍ以内の位置に設置されるものである。
【発明の効果】
【００１０】
請求項１の発明によれば、床面の近くを飛翔する虫を効率的に捕獲することができ、かつ捕虫器が所定の高さ位置に設置されると、その後に高さ位置を変更する必要はないので、ユーザに面倒な手間をかけることがない。また、高さ位置を変更するための機構を別途に設ける必要もないので、捕虫器を安価とすることができる。
【００１１】
請求項２の発明によれば、上記に加えて、虫の侵入経路により近い位置に捕虫器が設置されるので、より効果的に虫が捕獲される。
【発明を実施するための最良の形態】
【００１２】
本発明の第１の実施形態に係る害虫防除構造について、図１を参照して説明する。本実施形態の害虫防除構造１では、虫２を誘引する光源３と、光源３に誘引された虫２を捕獲する捕獲部４と、を備えた捕虫器５が、床面７から略６５ｃｍ以内の高さ位置に設置される。また、捕虫器５は、虫２が侵入する室開口部６近傍の１ｍ以内の範囲に設置されることが望ましい。なお、同図において、光源３から出射される誘虫光を破線矢印で示している。
【００１３】
捕虫器５は、汎用の捕虫器であり、虫２を誘引する光源３及び誘引された虫２を捕獲する捕獲部４を備えたものであれば、その構造や形状は特に限定されない。また、光源３は、汎用の捕虫器用蛍光灯（ＵＶ-Ａランプ）等が用いられ、好ましくは誘虫効果の高い波長が略３４０〜３８０ｎｍの光を出射する光源が用いられる。捕獲部４も、特に限定されないが、本実施形態の害虫防除構造１は、室内に適用されるため、電撃殺虫式等ではなく、光源３に誘引された虫２を粘着シートにより捕獲するタイプの捕獲部が望ましい。
【００１４】
また、本実施形態では、捕虫器５が床面７から略６５ｃｍ以内と、比較的低い位置に設置されるため、光源３から出射される光が直接的に居住者の目に入らないように、捕虫器５の正面には紫外線カバー等が設けられ、光が捕虫器５の側面から壁面と水平方向に出射されるようにするのが望ましい。
【００１５】
以下、本実施形態の害虫防除構造１の効果を検証するために実施された捕虫実験について説明する。本実験は、雑草地に面する川べりにコンテナハウスを設け、コンテナハウスのドア（室開口部６）の近傍の内壁面に、複数の捕虫器５が、夫々所定の高さ位置に設置された。コンテナハウスは、２坪タイプ（全長３６５０ｍｍ×全幅２１３０ｍｍ×全高２３００ｍｍ）であり、１つ又はそれ以上の窓が設けられている。上記の窓には黒ラシャ紙で目張りを施し、外光がコンテナハウス内部に入らないようにした。また、コンテナハウス内部には、捕虫器５とは別に、通常の放電灯型照明（以下、ベース照明という）が設置された。捕虫器５には、壁面直付タイプの光誘引捕虫器「ムシパットル：品番ＮＮ３００２０ＥＬ（松下電工製）」（幅６６６ｍｍ×高さ１８２ｍｍ×出しろ１２８ｍｍ）が用いられた。
【００１６】
実験は以下の手順で行われた。まず、日没と同時にコンテナハウスのドア（室開口部６）を開け、捕虫器５及びベース照明を点灯させた。なお、図１においては、室開口部６が半開きとなっている例を示したが、本実験では、虫２がコンテナハウス内に十分侵入するよう、室開口部６を全開きとした。所定時間経過後、本実験では、日没後の６０〜９０分後に室開口部６を閉めた。そして、午後１０時にベース照明を消灯し、翌朝６時に捕虫器５を消灯した。捕虫器５の消灯後、捕獲部４において捕獲された虫２の捕虫数が計数された。その結果を表１に示す。なお、３つの捕虫器５が夫々異なる高さ位置に設置されて１回目の実験が行われ、１回目の実験とは異なる日に、３つの捕虫器５の夫々の設置高さを変更して２回目の実験が行われた。
【００１７】
【表１】
2008154517.tif 000003
【００１８】
表１に示されるように、１回目の実験では、高さ位置が０〜２５ｃｍに設置された捕虫器５において、最も多くの虫２が捕獲され、また、２回目の実験では、高さ位置が３５ｃｍ〜６０ｃｍに設置された捕虫器５において、最も多くの虫２が捕獲された。すなわち、捕虫器５が０〜６０ｃｍの高さ位置に設置されたとき、最も多くの虫２が捕獲された。
【００１９】
本実施形態の害虫防除構造１によれば、上記実験で示されたように、効率的に虫を捕獲することができるだけでなく、捕虫器５が所定の高さ位置に設置されると、その後に高さ位置を変更する必要はないので、ユーザに面倒な手間をかけることがない。また、高さ位置を変更するための機構を別途に設ける必要もないので、コスト高になることもない。
【００２０】
次に、本発明の第２の実施形態に係る害虫防除構造について、図２を参照して説明する。本実施形態の害虫防除構造１では、上記第１の実施形態の害虫防除構造１に加えて、捕虫器５が、室開口部６の上端８から上下略２５ｃｍ以内の位置にも設置される。本実施形態で別途に設置される捕虫器５は、上記第１の実施形態の捕虫器５と同一タイプであってもよいが、室内の比較的高い位置に設置されることが想定されるので、光源３の光が直接的に居住者の目に入らないような設置環境においては、前方から光を出射できるように開口部を有するタイプが適用されてもよい。
【００２１】
本実施形態においても、上記第１の実施形態と同様、その効果を検証するために捕虫実験が実施された。実験の方法及び手順は、上記第１の実施形態で行われた実験と同様であり、その結果を表２に示す。なお、本実施形態では、４つの捕虫器５が夫々異なる高さ位置に設置されて１回目の実験が行われ、１回目の実験とは異なる日に、１回目と同様の条件で２回目の実験が行われた。更に、４つの捕虫器５が設置される高さ位置を夫々変更して３回目及び４回目の実験が行われた。
【００２２】
【表２】
2008154517.tif 000004
【００２３】
表２に示されるように、１回目及び２回目の実験では、設置高さが１８５〜２１０ｃｍである捕虫器５において、最も多くの虫が捕獲され、設置高さが１８５〜２１０ｃｍである捕虫器５がそれに準じた。また、３回目及び４回目の実験では、設置高さが２０５〜２３０ｃｍの捕虫器５において、最も多くの虫が捕獲された。すなわち、捕虫器５が１８５〜２３０ｃｍの高さ位置に設置されたとき、最も多くの虫が捕獲された、０〜６０ｃｍの高さ位置に設置されたときが、その次であった。また、本実験において、室開口部６の高さが２０５０ｍｍであった。従って、捕虫器５が室開口部の上端から上下２５ｃｍ以内の位置に設置されると多くの虫を捕獲でき、また、床面７から６５ｃｍ以内の高さ位置に捕虫器５が設置されることにより、更に多くの虫２が捕獲されることが分かる。つまり、本実施形態の害虫防除構造１によれば、上記第１の実施形態よりも更に効率的に虫２を捕獲することができる。
【００２４】
一般的に、昆虫が存在する又は飛翔する高さは、各昆虫種や周辺環境(餌や障害物の有無等)によって変化する。しかし、室内の誘虫源（捕虫器５の光源３や照明器具等の光源、餌となる食品や生ゴミ等）に誘引され、室内へ侵入する虫２の侵入経路は、室開口部６の上端８近傍及び床面７近傍において特にその密度が高くなる。本実施形態の害虫防除構造１は、これら室開口部６を通じて室内に侵入する虫２の侵入経路により近い位置に捕虫器５が設置されるので、特に、捕虫器５の光源３を含む、室内の誘虫源に誘引された虫２に対して、より効果的な捕獲効果を発揮する。
【００２５】
なお、本発明は、虫２が室内に侵入する際に、多くの虫２が、室開口部６の中央付近よりも、室開口部６の上端８近傍及び床面７近傍から室内に侵入するという虫２の性質を利用し、虫２の侵入経路の近い位置に捕虫器５を設置することにより、効果的に虫２を捕獲して、虫による害を防除するものであり、上記の用件を満たせば、上述の実施形態で説明した構成に限られることなく種々の変形が可能である。
【図面の簡単な説明】
【００２６】
【図１】本発明の第１の実施形態に係る害虫防除構造を示す斜視図。
【図２】本発明の第２の実施形態に係る害虫防除構造を示す斜視図。
【符号の説明】
【００２７】
１    害虫防除構造
２    虫
３    光源
４    捕獲部
５    捕虫器
６    室開口部
７    床面
８    室開口部の上端
【図１】
2008154517.tif 000005
【図２】
2008154517.tif 000006